【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
体液、組織または細胞を、個体内の異なる部位から別々に抽出する手段のアレイを備える、マイクロアレイ。
【請求項２】
レザバと、治療剤または診断剤を組織に投与する手段とのアレイを備え、該組織は、該投与する手段にすぐ隣接し、他の投与する手段から離れている、請求項１に記載のマイクロアレイ。
【請求項３】
投与の部位において、体液、組織または細胞を別々に抽出、サンプリングまたは分析する手段をさらに備える、請求項２に記載のマイクロアレイ。
【請求項４】
前記マイクロアレイが、別のレザバ内の剤の別々の放出を提供する、請求項２に記載のマイクロアレイ。
【請求項５】
前記レザバの各々が、異なる物質および／または異なる微小投与量の該物質を入れられ得、該物質は独立して放出され得、前記マイクロアレイが必要に応じて、予めプログラムされたマイクロプロセッサ、遠隔制御、および１つ以上のセンサからなる群より選択される、放出を制御する手段をさらに備える、請求項２に記載のマイクロアレイ。
【請求項６】
前記レザバが、拡散または分解の関数として剤を放出する生分解性ポリマーマトリックスを備える、請求項２に記載のマイクロアレイ。
【請求項７】
微小用量の治療剤または診断剤を提供する、請求項２に記載のマイクロアレイ。
【請求項８】
前記抽出の部位において、前記体液、組織または細胞を別々にサンプリングまたは分析する手段をさらに備える、請求項１に記載のマイクロアレイ。
【請求項９】
ミクロ流体ポンプ、浸透圧ポンプ、および超小型電子ポンプからなる群より選択される１つ以上のポンプを備え、必要に応じてさらに、キャリア流体を流体出口に送達するための１つ以上ンポンプアセンブリ、および該出口からレザバを通って遠位ポート付き出口まで延びる流体送達経路を備え、該遠位ポート付き出口が、標的組織部位に移植される、請求項１または２に記載のマイクロアレイ。
【請求項１０】
ひずみゲージ、加速度計、温度センサ、ｐＨセンサ、化学センサ、機械的センサ、放射線センサ、および生理学的センサからなる群より選択されるセンサを備え、該センサは、１つ以上の細胞活動を評価するように構成されている、請求項１または２に記載のマイクロアレイ。
【請求項１１】
前記体液、組織または細胞を抽出、サンプリングまたは分析する手段が、生検機構である、請求項１または２に記載のマイクロアレイ。
【請求項１２】
皮膚に付けるためのデバイスの形態、摂取可能デバイスの形態、または移植可能もしくは注入可能デバイスの形態の、請求項１または２に記載のマイクロアレイ。
【請求項１３】
必要に応じて後退可能である微小針または貫入部材を備える、請求項１または２に記載のマイクロアレイ。
【請求項１４】
炎症の指標であり得る分析物を検出するように、望ましくない増殖を起こしている細胞において過剰発現もしくは過剰活性化している遺伝子もしくはその産物を検出および分析するように、感染を検出するように、または異常な細胞増殖を検出するように構成された、アッセイ構成要素を備える、請求項１または２に記載のマイクロアレイ。
【請求項１５】
画像化手段を備える、請求項１または２に記載のマイクロアレイ。
【請求項１６】
展開または回収のデバイスまたはシステムと組み合わせられた、請求項１または２に記載のマイクロアレイ。
【請求項１７】
個体における細胞または組織に治療剤または診断剤を送達し、そして体液、組織または細胞を抽出、サンプリングまたは分析するシステムであって、
請求項１〜１４のいずれか１項に記載のマイクロアレイであって、レザバと、治療剤または診断剤を組織に投与する手段とのアレイを備え、該組織は、該投与する手段にすぐ隣接し、他の投与する手段から離れている、マイクロアレイ、ならびに
投与の部位における体液、組織または細胞を別々に抽出、サンプリングまたは分析する手段
を備える、システム。
【請求項１８】
前記レザバが、異なる量の同じ治療剤または診断剤を、異なるレザバから投与するように構成されている、請求項１７に記載のシステム。
【請求項１９】
前記レザバが、異なる治療剤または診断剤を異なるレザバから投与するように構成されている、請求項１７に記載のシステム。
【請求項２０】
前記体液、細胞または組織の分析またはサンプリングに応答して、治療剤または診断剤を投与する手段を備える、請求項１７に記載のシステム。
【請求項２１】
前記組織または細胞の診断剤に対する感度を決定するために、該組織または細胞に投与するための、請求項１７に記載のシステム。
【請求項２２】
体液、組織または細胞を抽出するためのシステムであって、
請求項１および８〜１６のいずれか１項に記載のマイクロアレイ、および個体内の様々な部位から体液、組織または細胞を別々に抽出する手段を備える、システム。
【手続補正２】
【補正対象書類名】明細書
【補正対象項目名】０００７
【補正方法】変更
【補正の内容】
【０００７】
本発明は、例えば、以下を提供する：
（項目１）
患者の組織に物質を送達するためのデバイスであって、
ａ）近位端および遠位端を有する１つ以上のチャンバ；ならびに
ｂ）該１つ以上のチャンバ内のレザバ、
を備え、該レザバは、標的組織への微小投与量の物質の局所送達のために構成されている、デバイス。
（項目２）
前記デバイスが、可撓性、屈曲可能、拡張可能、かつ／または押し潰し可能である、項目１に記載のデバイス。
（項目３）
前記デバイスが、患者内への移植、患者による摂取または患者への局所付着のために構成されている、項目１に記載のデバイス。
（項目４）
前記デバイスが摂取可能であり、そして汚染または分解を防止するように構成されたコーティングをさらに備える、項目３に記載のデバイス。
（項目５）
前記デバイスがパッチ構成を有する、項目１に記載のデバイス。
（項目６）
接着部分をさらに備え、該接着部分が、前記デバイスを前記患者の皮膚への接着により付着させるように構成されている、項目５に記載のデバイス。
（項目７）
前記接着部分が、薬学的に受容可能な接着物質を含有する、項目６に記載のデバイス。
（項目８）
前記デバイスが皮膚接触表面を有する、項目５に記載のデバイス。
（項目９）
前記物質が、前記皮膚接触表面を通過する、項目８に記載のデバイス。
（項目１０）
前記接触表面が、皮膚付着位置において、前記患者の皮膚に水和を提供するように構成されている、項目８に記載のデバイス。
（項目１１）
前記接触表面が、閉塞性もしくは透過性であるか、または閉塞部分と透過性部分との両方を備える、項目８に記載のデバイス。
（項目１２）
前記接触表面が、ポリエステル、ポリエチレン、ポリプロピレン、ポリウレタン、ポリ塩化ビニル、およびポリエーテルアミドなどの合成ポリマー；セルロース性材料などの天然ポリマー；マクロ孔質の製織材料および不織材料；ならびにこれらの組み合わせからなる群より選択される材料を含有する、項目８に記載のデバイス。
（項目１３）
前記デバイスが、ヒンジを備え、該ヒンジは、前記患者の皮膚が動く間に前記皮膚接触表面が外れることを防止するように構成されている、項目８に記載のデバイス。
（項目１４）
前記皮膚接触表面が接着コーティングを備える、項目８に記載のデバイス。
（項目１５）
前記接着コーティングが、接着剤の不連続なパターンであり、該接着剤の不連続なパターンが、前記患者の皮膚が動く間に前記皮膚接着表面が外れることを防止するように構成されている、項目１４に記載のデバイス。
（項目１６）
前記デバイスが複数の層を備える、項目５に記載のデバイス。
（項目１７）
前記デバイスが複数の微小針を備える、項目５に記載のデバイス。
（項目１８）
前記微小針が、直径が１０μｍ〜約２００μｍ、約５０μｍ〜約１５０μｍ、または約１００μｍからなる群より選択される長さを有する、項目１７に記載のデバイス。
（項目１９）
前記微小針が、０．０１マイクロリットル〜約１．０マイクロリットル、約０．０５マイクロリットル〜約０．５マイクロリットル、または約０．１マイクロリットル〜約０．３マイクロリットルからなる群より選択される体積の毛細血管血液を収集するように構成されている、項目１７に記載のデバイス。
（項目２０）
１つ以上のレザバが遠位端を備え、そして貫入部材が、該レザバの遠位端または前記１つ以上のチャンバの遠位端を構成しており、該貫入部材が、前記皮膚接触表面を通過して前記患者の皮膚に貫入するように構成されている、項目５に記載のデバイス。
（項目２１）
前記貫入が要求に応じて実施される、項目２０に記載のデバイス。
（項目２２）
前記貫入部材が貫入先端を備える、項目２１に記載のデバイス。
（項目２３）
複数の貫入部材を備え、前記貫入先端が、皮膚への貫入後に１つの面内に並ぶように構成されている、項目２２に記載のデバイス。
（項目２４）
複数の貫入部材を備え、前記貫入先端が、皮膚への貫入後に複数の面内に並ぶように構成されている、項目２２に記載のデバイス。
（項目２５）
前記貫入部材が湾曲した幾何学的形状または直線状の幾何学的形状を有する、項目２１に記載のデバイス。
（項目２６）
複数の貫入部材を備え、第一の貫入部材が湾曲した幾何学的形状を有し、そして第二の貫入部材が直線状の幾何学的形状を有する、項目２５に記載のデバイス。
（項目２７）
前記貫入部材の一部分が腫瘍内に配置されるように構成されている、項目２０に記載のデバイス。
（項目２８）
第二の貫入部材の少なくとも一部分が、健常組織内に配置されるように構成されている、項目２７に記載のデバイス。
（項目２９）
前記デバイスが、患者組織画像化機能を提供するように構成されている、項目１に記載のデバイス。
（項目３０）
前記デバイスが、硫酸バリウム；ジアトリゾエート、メトリゾエート、イオキサグレート、イオパミドール、イオヘキソール、イオキシラン、イオプロミド、およびイオジキサノールなどのヨウ素化造影剤；水、酸化ガドリニウム、酸化鉄；蛍光画像化剤；分析物特異的活性化可能造影剤；ならびにこれらの組み合わせからなる群より選択される造影剤を備える、項目２９に記載のデバイス。
（項目３１）
前記物質が複数の剤を含有する、項目１に記載のデバイス。
（項目３２）
前記複数の剤が１つのレザバ内で合わせられている、項目３１に記載のデバイス。
（項目３３）
第一の剤が第一のレザバ内に含まれず、そして第二の剤が第二のレザバ内に含まれない、項目３１に記載のデバイス。
（項目３４）
前記物質が、医学的状態の処置のために評価される候補化合物である、項目１に記載のデバイス。
（項目３５）
前記候補化合物が、低分子、タンパク質、ペプチド、ＤＮＡ、ＲＮＡ、多糖類、酵素、気体、放射性化合物、細胞、ナノ粒子、およびこれらの組み合わせからなる群より選択される、項目３４に記載のデバイス。
（項目３６）
前記医学的状態が、自己免疫状態、がん、心臓の状態、皮膚科学的状態、内分泌の状態、胃腸の状態、尿生殖器の状態、婦人科学的状態、血液学的状態、感染状態、炎症状態、虚血状態、神経学的状態、産科学的状態、整形外科的状態、増殖性状態、肺の状態、腎臓の状態、および脈管の状態からなる群より選択される、項目３４に記載のデバイス。
（項目３７）
前記物質が造影剤である、項目１に記載のデバイス。
（項目３８）
前記造影剤が、コンピュータ連動断層撮影造影剤、磁気共鳴画像化造影剤、超音波造影剤、またはＸ線造影剤である、項目３７に記載のデバイス。
（項目３９）
前記物質が、液体；溶液；ゲル；フィルム；層；粒子；およびこれらの組み合わせからなる群より選択される形態である、項目１に記載のデバイス。
（項目４０）
前記物質が様々に放出される、項目１に記載のデバイス。
（項目４１）
前記物質が、生分解性マトリックスから形成されたマトリックス、またはマトリックスからの拡散もしくはマトリックスの分解によって該物質を放出するマトリックス中に構成されている、項目１に記載のデバイス。
（項目４２）
前記物質が、前記マトリックス中に均質または不均質に分布している、項目４１に記載のデバイス。
（項目４３）
前記マトリックスが、生分解性であるか、非生分解性であるか、または生分解性部分と非生分解性部分との両方を備える、項目４１に記載のデバイス。
（項目４４）
前記マトリックスが、ポリマーおよびポリマーマトリックス；非ポリマーマトリックス；炭酸カルシウムおよび糖などの無機物および有機物の賦形剤および希釈剤；ならびにこれらの組み合わせからなる群より選択される、項目４１に記載のデバイス。
（項目４５）
前記マトリックスが天然放出系または合成放出系を構成する、項目４１に記載のデバイス。
（項目４６）
物質放出の持続時間が、数分〜数時間；１日〜１週間；１週間〜１ヶ月、および１ヶ月〜３ヶ月からなる群より選択される、項目４１に記載のデバイス。
（項目４７）
前記物質が、連続的または不連続的に放出される、項目１に記載のデバイス。
（項目４８）
前記物質が、抗炎症剤；抗増殖剤；化学療法剤または抗腫瘍剤；およびこれらの組み合わせからなる群より選択される、項目１に記載のデバイス。
（項目４９）
前記物質が、抗菌剤；抗真菌剤；駆虫剤；抗ウイルス剤；防腐剤；およびこれらの組み合わせからなる群より選択される抗感染剤を含有する、項目４８に記載のデバイス。
（項目５０）
前記物質が、ステロイド剤；非ステロイド剤；およびこれらの組み合わせからなる群より選択される抗炎症剤を含有する、項目４８に記載のデバイス。
（項目５１）
前記物質が、ポリペプチド；アンチセンスオリゴヌクレオチドなどのポリヌクレオチド；天然に存在する低分子化合物または合成低分子化合物；およびこれらの組み合わせからなる群より選択される、項目１に記載のデバイス。
（項目５２）
前記物質が、５０ダルトンより大きく約２５００ダルトン未満である分子量を有する、項目１に記載のデバイス。
（項目５３）
前記物質が、アミン基；カルボニル基；ヒドロキシル基および／またはカルボキシル基を含む、項目１に記載のデバイス。
（項目５４）
前記物質が、サッカリド；脂肪酸；ステロイド；プリン；ピリミジン；これらの誘導体、構造的アナログ、および組み合わせからなる群より選択される、項目１に記載のデバイス。
（項目５５）
前記物質が、ヒトタンパク質；マウスまたはラットなどの齧歯類などの別の種由来のそのホモログまたはタンパク質またはフラグメント；およびこれらの組み合わせからなる群より選択されるタンパク質である、項目１に記載のデバイス。
（項目５６）
前記物質が、発現ベクター中に存在し得る遺伝子または遺伝子フラグメントなどの配列をコードする核酸であり、該ベクターは一般に、プロモーター配列の近くに位置する、核酸配列の挿入に備えるために好都合な制限部位を有する、項目１に記載のデバイス。
（項目５７）
前記物質がアンチセンスオリゴヌクレオチドである、項目１に記載のデバイス。
（項目５８）
前記アンチセンスオリゴヌクレオチドが合成アンチセンスオリゴヌクレオチドである、項目５７に記載のデバイス。
（項目５９）
前記合成オリゴヌクレオチドが、ＲＮＡなどのアンチセンス分子を発現するネイティブ核酸または核酸構築物からの化学修飾を有する、項目５８に記載のデバイス。
（項目６０）
前記物質が二本鎖ＲＮＡ分子を含む、項目１に記載のデバイス。
（項目６１）
前記物質がネガティブコントロールおよびポジティブコントロールを含む、項目１に記載のデバイス。
（項目６２）
第一のレザバが前記ネガティブコントロールを含まず、そして第二のレザバが前記ポジティブコントロールを含まない、項目６１に記載のデバイス。
（項目６３）
前記物質が位置マーカーを含む、項目１に記載のデバイス。
（項目６４）
前記位置マーカーが、放射性標識；放射線不透過性標識；蛍光標識；比色定量標識；色素；酵素標識；ＧＣＭＳタグ；アビジン；ビオチン；およびこれらの組み合わせからなる群より選択される、項目６３に記載のデバイス。
（項目６５）
前記物質が効力インジケータを含む、項目１に記載のデバイス。
（項目６６）
前記効力インジケータが、ナノ粒子、ナノ構造体；インジケータ色素；およびこれらの組み合わせからなる群より選択される、項目６５に記載のデバイス。
（項目６７）
前記微小投与量が、約０．００１μｇ〜約１００μｇの物質である、項目１に記載のデバイス。
（項目６８）
前記微小投与量が０．００１μｇ未満である、項目１に記載のデバイス。
（項目６９）
前記微小投与量が、０．００１μｇ〜１０００μｇである、項目１に記載のデバイス。
（項目７０）
前記微小投与量が、０．００１μｇ〜１００００μｇである、項目１に記載のデバイス。
（項目７１）
前記レザバまたはその一部分が、組織内への移植のために構成されている、項目１に記載のデバイス。
（項目７２）
前記レザバが、ポリマーマトリックスを備え、該ポリマーマトリックスが、前記物質を封入するか、該物質を吸収するか、または該物質を放出する粒子を含む、項目１に記載のデバイス。
（項目７３）
前記レザバが、浸透圧ポンプ、ミクロ流体ポンプ、または超小型電子ポンプを備える、項目１に記載のデバイス。
（項目７４）
前記レザバが、浸透圧ポンプ；ミクロ流体ポンプ；超小型電子ポンプのうちの１つ以上、またはこれらの組み合わせに流体取り付けされている、項目１に記載のデバイス。
（項目７５）
前記レザバが圧縮可能ブラダーを備える、項目１に記載のデバイス。
（項目７６）
前記レザバが、シリンダーおよび並進可能なピストンを備える、項目１に記載のデバイス。
（項目７７）
前記レザバが親ねじをさらに備え、該親ねじが回転すると前記ピストンが並進する、項目７６に記載のデバイス。
（項目７８）
前記レザバが気体発生器をさらに備え、気体の発生が前記ピストンの並進を引き起こす、項目７６に記載のデバイス。
（項目７９）
前記レザバが、圧力源、圧縮可能ハウジング、および弁を備え、前記物質を送達するために該弁が開閉するように構成されている、項目１に記載のデバイス。
（項目８０）
物質送達の速度が該物質送達中または該物質送達前に調節され得るように、前記デバイスが構成されている、項目１に記載のデバイス。
（項目８１）
前記物質送達の体積が物質送達中または物質送達前に調節され得るように、前記デバイスが構成されている、項目１に記載のデバイス。
（項目８２）
前記レザバを通る流体の流れの方向が逆にされ得るように、前記デバイスが構成されている、項目１に記載のデバイス。
（項目８３）
身体から流体を引き抜くために前記流れが逆にされる、項目８２に記載のデバイス。
（項目８４）
前記体液が血液；リンパ液；尿；精液；大脳脊髄液；間質液；およびこれらの組み合わせからなる群より選択される、項目８３に記載のデバイス。
（項目８５）
前記デバイスが複数のレザバを備え、各レザバが同じ物質または異なる物質を含む、項目１に記載のデバイス。
（項目８６）
流体駆動源をさらに備え、そして第一のレザバが該流体駆動源に接続されており、そして第二のレザバが該流体駆動源に接続されている、項目８５に記載のデバイス。
（項目８７）
各レザバが同じ流体を受け取る、項目８６に記載のデバイス。
（項目８８）
第一のレザバに接続された第一の流体駆動源、および第二のレザバに接続された第二の流体駆動源を備える、項目８５に記載のデバイス。
（項目８９）
前記第一の流体駆動源が、前記第二の流体駆動源と同じ速度および同じ量で流体を送達するように構成されている、項目８８に記載のデバイス。
（項目９０）
前記第一の流体駆動源が、前記第二の流体駆動源とは無関係な速度および無関係な量で流体を送達するように構成されている、項目８８に記載のデバイス。
（項目９１）
前記レザバが生分解性材料を含む、項目１に記載のデバイス。
（項目９２）
前記生分解性材料が、ポリ（ラクチド）；ポリ（グリコリド）；ポリ（ラクチド−ｃｏ−グリコリド）；ポリ（乳酸）；ポリ（グリコール酸）；ポリ（乳酸−ｃｏ−グリコール酸）；ポリ（ラクチド）／ポリ（エチレングリコール）コポリマー；ポリ（グリコリド）／ポリ（エチレングリコール）コポリマー；ポリ（ラクチド−ｃｏ−グリコリド）／ポリ（エチレングリコール）コポリマー；ポリ（乳酸）／ポリ（エチレングリコール）コポリマー；ポリ（グリコール酸）／ポリ（エチレングリコール）コポリマー；ポリ（乳酸−ｃｏ−グリコール酸）／ポリ（エチレングリコール）コポリマー；ポリ（カプロラクトン）；ポリ（カプロラクトン）／ポリ（エチレングリコール）コポリマー；ポリ（オルトエステル）；ポリ（ホスファゼン）；ポリ（ヒドロキシブチレート）もしくはポリ（ヒドロキシブチレート）を含むコポリマー；ポリ（ラクチド−ｃｏ−カプロラクトン）；ポリカーボネート；ポリエステルアミド；ポリ酸無水物；ポリ（ジオキサノン）；ポリ（アルキレンアルキレート）；ポリエチレングリコールとポリオルトエステルとのコポリマー；生分解性ポリウレタン；ポリ（アミノ酸）；ポリエーテルエステル；ポリアセタール；ポリシアノアクリレート；ポリ（オキシエチレン）／ポリ（オキシプロピレン）コポリマー、あるいはこれらのブレンドまたはコポリマー；およびこれらの組み合わせからなる群より選択されるポリマーである、項目９１に記載のデバイス。
（項目９３）
前記レザバが非生分解性材料を含む、項目１に記載のデバイス。
（項目９４）
前記非生分解性材料が、ポリ（エチレン酢酸ビニル）、ポリ（酢酸ビニル）、シリコーンポリマー、ポリウレタン、セルロース性ポリマーおよびセルロース誘導体などの多糖類、アシル置換セルロースアセテートおよびその誘導体、ポリ（エチレングリコール）とポリ（ブチレンテレフタレート）とのコポリマー、ポリスチレン、ポリ塩化ビニル、ポリフッ化ビニル、ポリ（ビニルイミダゾール）、クロロスルホン化ポリオレフィン、ポリエチレンオキシド、ならびにこれらのコポリマーおよびブレンド；ならびにこれらの組み合わせからなる群より選択される、項目９３に記載のデバイス。
（項目９５）
前記レザバが多孔性材料を含む、項目１に記載のデバイス。
（項目９６）
前記多孔性材料が非生分解性である、項目９５に記載のデバイス。
（項目９７）
前記多孔性材料が、前記物質の吸収および／または拡散を可能にするように構成されている、項目９６に記載のデバイス。
（項目９８）
前記レザバが天然ポリマーを含む、項目１に記載のデバイス。
（項目９９）
前記天然ポリマーが、ゼイン、修飾ゼイン、カゼイン、キチン、ゼラチン、グルテン、血清アルブミン、またはコラーゲンなどのタンパク質；ならびにセルロース、デキストラン、およびポリヒアルロン酸などの多糖類からなる群より選択され、多糖類のヒドロゲルまたはゾル−ゲル混合物もまた使用され得る、項目９８に記載のデバイス。
（項目１００）
前記レザバがキャップをさらに備える、項目１に記載のデバイス。
（項目１０１）
前記キャップが生分解性である、項目１００に記載のデバイス。
（項目１０２）
前記キャップが、エネルギーを与えることにより生分解するように構成されている、項目１０１に記載のデバイス。
（項目１０３）
前記レザバと流体連絡する流体送達経路をさらに備える、項目１に記載のデバイス。
（項目１０４）
前記流体送達経路を通過して前記標的組織に入るキャリア流体をさらに含む、項目１０３に記載のデバイス。
（項目１０５）
前記キャリア流体を提供するように構成された加圧された源または加圧可能な源をさらに備える、項目１０４に記載のデバイス。
（項目１０６）
前記源が、蠕動ポンプ、容積型ポンプ、または浸透圧ポンプなどのポンプ；加圧されたレザバ；およびこれらの組み合わせからなる群より選択される、項目１０５に記載のデバイス。
（項目１０７）
圧力駆動式蛇腹；弁；レストリクター；圧力調節機；電源；制御装置；およびこれらの組み合わせをさらに備える、項目１０５に記載のデバイス。
（項目１０８）
前記レザバが前記物質を前記キャリア流体中に放出するように構成されている、項目１０４に記載のデバイス。
（項目１０９）
前記キャリア流体が生物学的に不活性な流体または生物化学的に不活発な流体である、項目１０４に記載のデバイス。
（項目１１０）
前記キャリア流体が生理食塩水または内因性体液である、項目１０９に記載のデバイス。
（項目１１１）
前記レザバが遠位端を有し、そして貫入部材が遠位端を有し、そして該レザバの遠位端またはチャンバの遠位端を構成し、該貫入部材が組織に貫入するように構成されている、項目１に記載のデバイス。
（項目１１２）
前記貫入部材の遠位端が尖っている、項目１１１に記載のデバイス。
（項目１１３）
前記貫入部材が要求に応じて組織に貫入するように構成されている、項目１１１に記載のデバイス。
（項目１１４）
前記組織が腫瘍組織である、項目１１１に記載のデバイス。
（項目１１５）
前記貫入部材が組織内に前進するように、または組織から後退するように構成されている、項目１１１に記載のデバイス。
（項目１１６）
前記貫入部材が組織を連続的に通過するように構成されている、項目１１５に記載のデバイス。
（項目１１７）
前記貫入部材の動きを検出するように構成されたセンサをさらに備える、項目１１５に記載のデバイス。
（項目１１８）
前記貫入部材上またはその近くにセンサをさらに備える、項目１１５に記載のデバイス。
（項目１１９）
１つの面内に並ぶように構成された３つ以上の貫入部材を備える、項目１１１に記載のデバイス。
（項目１２０）
複数の面内に並ぶように構成された３つ以上の貫入部材を備える、項目１１１に記載のデバイス。
（項目１２１）
実質的に一定の幅、厚さまたは直径を有する体積内または領域内に並ぶ３つ以上の貫入部材を備える、項目１１１に記載のデバイス。
（項目１２２）
前記体積または領域が、前記デバイスによる前記物質の送達後に切除される、項目１２１に記載のデバイス。
（項目１２３）
前記貫入部材が湾曲しているかまたは実質的に直線状である、項目１１１に記載のデバイス。
（項目１２４）
少なくとも２つの貫入部材を備え、第一の貫入部材が実質的に直線状であり、そして第二の貫入部材が湾曲している、項目１２３に記載のデバイス。
（項目１２５）
前記貫入部材が、第一の位置から第二の位置へと移行するように構成されている、項目１１１に記載のデバイス。
（項目１２６）
前記貫入部材が、移植前；移植中；外植後；またはその組み合わせで、前進または後退するように構成されている、項目１２５に記載のデバイス。
（項目１２７）
前記貫入部材が、前記デバイスから外向きに前進するように；該デバイスに向かって内向きに後退するように；およびこれらの組み合わせで構成されている、項目１２５に記載のデバイス。
（項目１２８）
前記デバイスが、前記貫入部材を前進または後退させるように構成された移動アセンブリをさらに備え；該移動アセンブリが、親ねじ；圧力源；磁気駆動アセンブリ；熱駆動エキスパンダーまたはコントラクター；空気力ドライブ；液圧ドライブ；およびこれらの組み合わせからなる群より選択される、項目１２５に記載のデバイス。
（項目１２９）
前記貫入部材が、該貫入部材の長さ方向に沿って複数の出口ポートを備える、項目１１１に記載のデバイス。
（項目１３０）
前記複数の出口ポートが等しく間隔を空けている、項目１２９に記載のデバイス。
（項目１３１）
前記複数の出口ポートが、組織送達領域を規定し、そして該組織送達領域に沿った任意の位置で、等しい量の前記物質を送達するようなサイズにされている、項目１２９に記載のデバイス。
（項目１３２）
複数の出口ポートを備える複数の貫入部材を備え、そして第一の貫入部材が、第一のパターンで出口ポートを有し、そして第二の貫入部材が、該第一のパターンとは異なる幾何学的形状を有する第二のパターンで出口ポートを有する、項目１２９に記載のデバイス。
（項目１３３）
前記複数の出口ポートが螺旋パターンで配置されている、項目１２９に記載のデバイス。
（項目１３４）
前記貫入部材が、閉塞材料を備え、該閉塞材料は、該貫入部材による組織貫入中に硬さを提供するように構成されている、項目１１１に記載のデバイス。
（項目１３５）
前記閉塞材料が塩を含む、項目１３４に記載のデバイス。
（項目１３６）
前記閉塞材料が取り外し可能マンドレルを備える、項目１３４に記載のデバイス。
（項目１３７）
前記１つ以上のチャンバおよび前記レザバが、生分解性ポリマー、非生分解性ポリマー、金属、金属合金、またはこれらの組み合わせを含む、項目１に記載のデバイス。
（項目１３８）
前記１つ以上のチャンバが、ポリ（ラクチド）；ポリ（グリコリド）；ポリ（ラクチド−ｃｏ−グリコリド）；ポリ（乳酸）；ポリ（グリコール酸）；ポリ（乳酸−ｃｏ−グリコール酸）；ポリ（ラクチド）／ポリ（エチレングリコール）コポリマー；ポリ（グリコリド）／ポリ（エチレングリコール）コポリマー；ポリ（ラクチド−ｃｏ−グリコリド）／ポリ（エチレングリコール）コポリマー；ポリ（乳酸）／ポリ（エチレングリコール）コポリマー；ポリ（グリコール酸）／ポリ（エチレングリコール）コポリマー；ポリ（乳酸−ｃｏ−グリコール酸）／ポリ（エチレングリコール）コポリマー；ポリ（カプロラクトン）；ポリ（カプロラクトン）／ポリ（エチレングリコール）コポリマー；ポリ（オルトエステル）；ポリ（ホスファゼン）；ポリ（ヒドロキシブチレート）もしくはポリ（ヒドロキシブチレート）を含むコポリマー；ポリ（ラクチド−ｃｏ−カプロラクトン）；ポリカーボネート；ポリエステルアミド；ポリ酸無水物；ポリ（ジオキサノン）；ポリ（アルキレンアルキレート）；ポリエチレングリコールとポリオルトエステルとのコポリマー；生分解性ポリウレタン；ポリ（アミノ酸）；ポリエーテルエステル；ポリアセタール；ポリシアノアクリレート；ポリ（オキシエチレン）／ポリ（オキシプロピレン）コポリマー、あるいはこれらのブレンドまたはコポリマー；およびこれらの組み合わせからなる群より選択される生分解性材料を含む、項目１３７に記載のデバイス。
（項目１３９）
前記１つ以上のチャンバが生分解性形状記憶ポリマーを含む、項目１３７に記載のデバイス。
（項目１４０）
前記１つ以上のチャンバが、ポリ（エチレン酢酸ビニル）、ポリ（酢酸ビニル）、シリコーンポリマー、ポリウレタン、セルロース性ポリマーおよびセルロース誘導体などの多糖類、アシル置換セルロースアセテートおよびその誘導体、ポリ（エチレングリコール）とポリ（ブチレンテレフタレート）とのコポリマー、ポリスチレン、ポリ塩化ビニル、ポリフッ化ビニル、ポリ（ビニルイミダゾール）、クロロスルホン化ポリオレフィン、ポリエチレンオキシド、これらのコポリマーおよびブレンド；ならびにこれらの組み合わせからなる群より選択される非生分解性ポリマーを含む、項目１３７に記載のデバイス。
（項目１４１）
前記１つ以上のチャンバが、コバルト；クロム；ニッケル；白金；金;銀；金属ケイ素；ステンレス鋼；チタン；タンタル；ニッケル−チタン合金などのこれらの合金；マグネシウムベースの金属などの生分解性金属；およびこれらの組み合わせからなる群より選択される金属を含む、項目１３７に記載のデバイス。
（項目１４２）
前記１つ以上のチャンバの前記遠位端が生検機構を含む、項目１に記載のデバイス。
（項目１４３）
前記生検機構が、切断縁部、ヒンジ、ばね、形状記憶要素、ワイヤ、またはこれらの組み合わせを備える、項目１４２に記載のデバイス。
（項目１４４）
前記１つ以上のチャンバが、１．０ｍｍ〜１０ｍｍの長さ；１．０ｍｍ〜５．０ｍｍの長さ；１．０ｍｍ〜３．０ｍｍの長さ；０．１ｍｍ〜５．０ｍｍの幅；０．１ｍｍ〜３．０ｍｍの幅；０．１ｍｍ〜１．０ｍｍの幅；０．１ｍｍ〜０．５ｍｍの幅；およびこれらの組み合わせからなる群より選択される寸法を有する、項目１に記載のデバイス。
（項目１４５）
前記１つ以上のチャンバが、０．１ｍｍ３〜１．０ｍｍ３；０．１ｍｍ３〜０．５ｍｍ３；および０．１ｍｍ３〜０．３ｍｍ３からなる群より選択される体積を有する、項目１に記載のデバイス。
（項目１４６）
前記１つ以上のチャンバが、０．０１ｍｍに近い幅、長さまたは直径を有する、項目１に記載のデバイス。
（項目１４７）
前記１つ以上のチャンバが、１０ｍｍより大きい幅、長さまたは直径を有する、項目１に記載のデバイス。
（項目１４８）
前記デバイスが２つ以上のチャンバを備える、項目１に記載のデバイス。
（項目１４９）
前記デバイスが５つ以上のチャンバを備える、項目１４８に記載のデバイス。
（項目１５０）
前記デバイスが１０以上のチャンバを備える、項目１４９に記載のデバイス。
（項目１５１）
前記デバイスが１５以上のチャンバを備える、項目１５０に記載のデバイス。
（項目１５２）
前記１つ以上のチャンバが、第二のチャンバと流体連絡する第一のチャンバを備える、項目１に記載のデバイス。
（項目１５３）
前記デバイスが、使用中に前記第一のチャンバの内容物と前記第二のチャンバの内容物とを混合するように構成されている、項目１５２に記載のデバイス。
（項目１５４）
前記１つ以上のチャンバが、第二のチャンバに取り外し可能に取り付けられる第一のチャンバを備える、項目１に記載のデバイス。
（項目１５５）
前記第一のチャンバと前記第二のチャンバとが接着剤で取り付けられる、項目１５４に記載のデバイス。
（項目１５６）
前記１つ以上のチャンバが、近位端および遠位端を有する第一のチャンバ；ならびに近位端および遠位端を有する第二のチャンバを備え；そして該第一のチャンバの近位端が、該第二のチャンバの近位端に接続される、項目１に記載のデバイス。
（項目１５７）
前記１つ以上のチャンバが、前記物質を含む第一のチャンバ、およびコントロールとして働くように構成された第二のチャンバを備える、項目１に記載のデバイス。
（項目１５８）
前記１つ以上のチャンバに接続される支持構造体をさらに備える、項目１に記載のデバイス。
（項目１５９）
前記接続が摩擦ばめまたはスナップばめである、項目１５８に記載のデバイス。
（項目１６０）
前記支持構造体が１つ以上の分離領域を備える、項目１５８に記載のデバイス。
（項目１６１）
前記分離領域が、穿孔；可撓性部分；低デュロメーター部分；ヒンジ；接合部；およびこれらの組み合わせからなる群より選択される、項目１６０に記載のデバイス。
（項目１６２）
前記デバイスが複数のアッセイを実施するように構成されている、項目１６０に記載のデバイス。
（項目１６３）
支持構造体をさらに備え、前記１つ以上のチャンバが該支持構造体内に形成されている、項目１に記載のデバイス。
（項目１６４）
前記１つ以上のチャンバが、エッチング、成形および／または機械加工により形成されている、項目１６３に記載のデバイス。
（項目１６５）
前記１つ以上のチャンバが生分解性材料を含む、項目１に記載のデバイス。
（項目１６６）
前記局所送達が遠隔信号によって制御されるように構成されている、項目１に記載のデバイス。
（項目１６７）
前記局所送達が、予めプログラムされたマイクロプロセッサ；遠隔制御；およびセンサ情報のうちの１つ以上によって制御されるように構成されている、項目１に記載のデバイス。
（項目１６８）
前記局所送達が制御可能な部材によって制御されるように構成されている、項目１に記載のデバイス。
（項目１６９）
前記制御可能な部材が障壁膜を備える、項目１６８に記載のデバイス。
（項目１７０）
前記障壁膜が速度制御膜を備える、項目１６９に記載のデバイス。
（項目１７１）
前記速度制御膜が、ポリエチレンおよびポリプロピレンなどのポリオレフィン；ポリアミド；ポリエステル；エチレン−エタクリレートコポリマー；エチレン−酢酸ビニルコポリマー；エチレン−メチル酢酸ビニルコポリマー；エチレン−エチル酢酸ビニルコポリマー；エチレン−プロピル酢酸ビニルコポリマー；ポリイソプレン、ポリアクリロニトリル；エチレン−プロピレンコポリマー；およびこれらの組み合わせからなる群より選択される材料からなる、項目１７０に記載のデバイス。
（項目１７２）
前記標的組織が、中実組織；器官組織；血液リンパ；唾液；神経組織；肺組織；胃腸組織；泌尿生殖組織；心臓組織；脈管組織；筋肉；骨；皮膚；およびこれらの組み合わせからなる群より選択される、項目１に記載のデバイス。
（項目１７３）
前記１つ以上のチャンバを取り外し可能に固定するための支持構造体をさらに備える、項目１に記載のデバイス。
（項目１７４）
前記支持構造体が、該支持構造体のサイズの調節のための１つ以上の分離領域を備える、項目１７３に記載のデバイス。
（項目１７５）
画像化様式または無線周波数リーダーによる識別が可能なマーカーをさらに備える、項目１に記載のデバイス。
（項目１７６）
前記マーカーが、放射線不透過性マーカー、放射能マーカー、蛍光マーカー、または無線周波数タグからなる群より選択される、項目１７５に記載のデバイス。
（項目１７７）
インビボアッセイ構成要素をさらに含む、項目１に記載のデバイス。
（項目１７８）
前記デバイスが、移植されるように構成されており、そして前記インビボアッセイが、該デバイスが移植されている間にリアルタイムの情報を提供する、項目１７７に記載のデバイス。
（項目１７９）
前記アッセイが腫瘍応答または他の活性をリアルタイムで検出するように構成されている、項目１７８に記載のデバイス。
（項目１８０）
前記インビボアッセイ構成要素がマイクロチップを含む、項目１７７に記載のデバイス。
（項目１８１）
前記アッセイが、結合アッセイ；分光光度法；ゲル電気泳動；およびクロマトグラフィーのうちの１つ以上を含む、項目１７７に記載のデバイス。
（項目１８２）
前記アッセイが、ゲノム；プロテオーム；生化学；組織病理学；およびこれらの組み合わせからなる群より選択される特徴付けを提供するように構成されている、項目１７７に記載のデバイス。
（項目１８３）
前記アッセイが、抗体；血清タンパク質；酵素；ウイルスタンパク質または細菌タンパク質；コレステロール；グルコース；多糖類；核酸；代謝産物；サイトカイン；腫瘍抗原または癌マーカー；アポトーシス；およびこれらの組み合わせのうちの１つ以上のレベルを検出するように構成されている、項目１７７に記載のデバイス。
（項目１８４）
前記アッセイが、望ましくない増殖を起こしている細胞の過剰発現または過剰活性を示すなどの遺伝子または遺伝子産物のレベルを検出するように構成されている、項目１７７に記載のデバイス。
（項目１８５）
前記アッセイが細胞傷害性因子の放出を検出するように構成されている、項目１８４に記載のデバイス。
（項目１８６）
前記アッセイがＲＴＫの存在を検出するように構成されている、項目１７７に記載のデバイス。
（項目１８７）
前記アッセイが炎症の存在を検出するように構成されている、項目１７７に記載のデバイス。
（項目１８８）
前記アッセイが感染の存在を検出するように構成されている、項目１７７に記載のデバイス。
（項目１８９）
前記アッセイが細菌病原体を示す分析物の存在を検出するように構成されている、項目１７７に記載のデバイス。
（項目１９０）
前記アッセイが異常な細胞増殖の存在を検出するように構成されており、そして前記デバイスが、抗増殖因子；遺伝子毒性因子；白金配位化合物；またはこれらの組み合わせを放出するように構成されている、項目１７７に記載のデバイス。
（項目１９１）
前記アッセイが、高血糖症を示す分析物の存在を検出するように構成されており、そして前記デバイスが、血清中グルコースレベルを低下させるための剤を放出するように構成されている、項目１７７に記載のデバイス。
（項目１９２）
応答パラメータを感知するためのセンサをさらに備える、項目１に記載のデバイス。
（項目１９３）
前記デバイスが、感知された前記応答パラメータに応答して活性剤を送達するように構成されている、項目１９２に記載のデバイス。
（項目１９４）
前記センサが、化学センサ；機械的センサ；光学センサ；放射線センサ；温度センサ；ナノセンサ；およびこれらの組み合わせからなる群より選択される、項目１９３に記載のデバイス。
（項目１９５）
前記応答パラメータが、代謝産物または前駆体のレベル；グルコース、酸素、または他の栄養のレベル；サイトカインレベル；ｐＨ；重量オスモル濃度；およびこれらの組み合わせからなる群より選択される、項目１９３に記載のデバイス。
（項目１９６）
前記センサが光学センサであり、該光学センサが、細胞の組織学的変化または組織病理学的変化の可視化を提供するように構成されている、項目１９３に記載のデバイス。
（項目１９７）
前記活性剤が、抗菌剤、抗真菌剤、抗寄生生物剤、抗ウイルス剤、および防腐剤などの抗感染剤；ステロイド性抗炎症剤および非ステロイド性抗炎症剤などの抗炎症剤；抗増殖剤；化学療法剤および抗腫瘍剤；ならびにこれらの組み合わせからなる群より選択される、項目１９３に記載のデバイス。
（項目１９８）
前記活性剤が、アミノグリコシド；アムフェニコール；アンサマイシン；β−ラクタム；リンコサミド；マクロライド；ニトロフラン；キノロン；スルホンアミド；スルホン；テトラサイクリン；バンコマイシン；およびこれらの誘導体のいずれかまたはこれらの組み合わせからなる群より選択される抗菌剤である、項目１９３に記載のデバイス。
（項目１９９）
前記活性剤が、カルバセフェム；カルバペネム；セファロスポリン；セファマイシン；モノバクタム；オキサセフェム；ペニシリン；およびこれらの誘導体またはこれらの組み合わせのいずれかからなる群より選択されるβ−ラクタムである、項目１９３に記載のデバイス。
（項目２００）
前記活性剤が、アムジノシリン；アムジノシリンピボキシル；アモキシシリン；アンピシリン；アパルシリン；アスポキシシリン；アジドシリン；アズロシリン；バカンピシリン；ベンジルペニシリン酸；ベンジルペニシリンナトリウム；カルベニシリン；カリンダシリン；クロメトシリン；クロキサシリン；シクラシリン；ジクロキサシリン；エピシリン；フェンベニシリン；フロキサシリン；ヘタシリン；レナンピシリン；メタンピシリン；メチシリンナトリウム；メズロシリン；ナフシリンナトリウム；オキサシリン；ペナメシリン；ペネタメートヨウ化水素酸塩；ペニシリンＧベンタミン；ペニシリンＧベンザチン；ペニシリンＧベンズヒドリルアミン；ペニシリンＧカルシウム；ヒドラバミンペニシリンＧ；ペニシリンＧカリウム；プロカインペニシリンＧ；ペニシリンＮ；ペニシリンＯ；ペニシリンＶ；ベンザチンペニシリンＶ；ヒドラバミンペニシリンＶ；ペニメピサイクリン；フェネチシリンカリウム；ピペラシリン；ピバンピシリン；プロピシリン；キナシリン；スルベニシリン；スルタミシリン；タランピシリン；テモシリン；チカルシリン；およびこれらの組み合わせからなる群より選択されるペニシリンである、項目１９３に記載のデバイス。
（項目２０１）
前記活性剤が、クラブラン酸と組み合わせられたペニシリンを含む、項目１９３に記載のデバイス。
（項目２０２）
前記活性剤が、アリルアミン、イミダゾール、ポリエン、チオカルバメート、トリアゾール、およびこれらの任意の誘導体からなる群より選択される抗真菌剤であり、１つのバリエーションにおいて、イミダゾールが好ましい抗真菌剤であり、使用され得る防腐剤としては、アトバコン、クリンダマイシン、ダプソン、ヨードキノール、メトロニダゾール、ペンタミジン、プリマキン、ピリメタミン、スルファジアジン、トリメトプリム／スルファメトキサゾール、トリメトレキサート、およびこれらの組み合わせなどの剤が挙げられる、項目１９３に記載のデバイス。
（項目２０３）
前記活性剤が、アシクロビル、ファムシクロビル、バラシクロビル、エドクスジン、ガンシクロビル、ホスカルネット、シドビル（ビスチド）、ビトラサート、ホルミビルセン、ＨＰＭＰＡ（９−（３−ヒドロキシ−２−ホスホノメトキシプロピル）アデニン）、ＰＭＥＡ（９−（２−ホスホノメトキシエチル）アデニン）、ＨＰＭＰＧ（９−（３−ヒドロキシ−２−（ホスホノメトキシ）プロピル）グアニン）、ＰＭＥＧ（９−［２−（ホスホノメトキシ）エチル］グアニン）、ＨＰＭＰＣ（１−（２−ホスホノメトキシ−３−ヒドロキシプロピル）−シトシン）、リバビリン、ＥＩＣＡＲ（５−エチニル−１−β−Ｄ−リボフラノシルイミダゾール−４−カルボキサミド）、ピラゾフリン（３−［β−Ｄ−リボフラノシル］−４−ヒドロキシピラゾール−５−カルボキサミド）、３−デアザグアニン、ＧＲ−９２９３８Ｘ（１−β−Ｄ−リボフラノシルピラゾール−３，４−ジカルボキサミド）、ＬＹ２５３９６３（１，３，４−チアジアゾール−２−イル−シアナミド）、ＲＤ３−００２８（１，４−ジヒドロ−２，３−ベンゾジチイン）、ＣＬ３８７６２６（４，４’−ビス［４，６−ｄ］［３−アミノフェニル−Ｎ，Ｎ−ビス（２−カルバモイルエチル）−スルホニルイミノ］−１，３，５−トリアジン−２−イルアミノ−ビフェニル−−２−，２’−ジスルホン酸二ナトリウム塩）、ＢＡＢＩＭ、およびこれらの組み合わせからなる群より選択される抗ウイルス剤である、項目１９３に記載のデバイス。
（項目２０４）
前記活性剤が、アルコール、クロルヘキシドリン、ヨウ素、トリクロサン、ヘキサクロロフェン、および銀ベースの剤（例えば、塩化銀、酸化銀、銀ナノ粒子）、ならびにこれらの組み合わせからなる群より選択される防腐剤である、項目１９３に記載のデバイス。
（項目２０５）
前記活性剤が、ステロイド性抗炎症剤（コルチコステロイド）からなる群より選択される抗炎症剤であり、例示的なステロイド性抗炎症剤としては、２１−アセトキシプレグネノロン、アルクロメタゾン、アルゲストン、アムシノニド、ベクロメタゾン、ベタメタゾン、ブデソニド、クロロプレドニゾン、クロベタゾール、クロベタゾン、クロコルトロン、クロプレドノール、コルチコステロン、コルチゾン、コルチバゾル、デフラザコルト、デソニド、デスオキシメタゾン、デキサメタゾン、ジフロラゾン、ジフルコルトロン、ジフルプレドナート、エノキソロン、フルアザコルト、フルクロロニド、フルメタゾン、フルニソリド、フルオシノロンアセトニド、フルオシノニド、フルオコルチンブチル、フルオコルトロン、フルオロメトロン、酢酸フルペロロン、酢酸フルプレドニデン、フルプレドニゾロン、フルランドレノリド、プロピオン酸フルチカゾン、フォルモコルタール、ハルシノニド、プロピオン酸ハロベタゾール、ハロメタゾン、酢酸ハロプレドン、ヒドロコルタメート、ヒドロコルチゾン、ロテプレドノールエタボネート、マジプレドン、メドリゾン、メプレドニゾン、メチルプレドニゾロン、モメタゾンフロエート、パラメタゾン、プレドニカルバート、プレドニゾロン、プレドニゾロン２５−ジエチルアミノ−アセテート、リン酸プレドニゾロンナトリウム、プレドニゾン、プレドニバル、プレドニリデン、リメキソロン、チキソコルトール、トリアムシノロン、トリアムシノロンアセトニド、トリアムシノロンベネトニド、トリアムシノロンヘキサセトニド、これらの誘導体、およびこれらの組み合わせのうちのいずれかが挙げられるが、これらに限定されない、項目１９３に記載のデバイス。
（項目２０６）
前記活性剤が、ＣＯＸインヒビター（例えば、ＣＯＸ−１またはＣＯＸ非特異的インヒビター（例えば、サリチル酸誘導体、アスピリン、サリチル酸ナトリウム、三サリチル酸コリンマグネシウム、サルサラート、ジフルニサル、スルファサラジンおよびオルサラジン））；パラ−アミノフェノール誘導体（例えば、アセトアミノフェン）；インドールおよびインデン酢酸（例えば、インドメタシンおよびスリンダク）；ヘテロアリール酢酸（例えば、トルメチン、ジコフェナクおよびケトロラク）；アリールプロピオン酸（例えば、イブプロフェン、ナプロキセン、フルルビプロフェン、ケトプロフェン、フェノプロフェンおよびオキサプロジン）；アントラニル酸（フェナメート）（例えば、メフェナム酸およびメロキシカム）；エノール酸（例えば、オキシカム（例えば、ピロキシカムおよびメロキシカム）およびアルカノン（例えば、ナブメトン））ならびに選択的ＣＯＸ−２インヒビター（例えば、ジアリール置換フラノン（例えば、ロフェコキシブ）；ジアリール置換ピラゾール（例えば、セレコキシブ）；インドール酢酸（例えば、（エトドラク）およびスルホンアニリド（例えば、ニメスリド））；ならびにこれらの組み合わせからなる群より選択される非ステロイド性抗炎症薬である、項目１９３に記載のデバイス。
（項目２０７）
前記活性剤が、抗腫瘍剤（例えば、がん化学療法剤、生物学的応答改変剤、脈管形成インヒビター、ホルモンレセプター遮断薬、寒冷療法剤、または新形成もしくは腫瘍形成を破壊もしくは阻害する他の剤（例えば、アルキル化剤、またはがん細胞のＤＮＡを攻撃することによりがん細胞を直接殺傷する他の剤（例えば、シクロホスファミド、イソホスファミド）；ニトロソウレア、または細胞ＤＮＡ修復のために必要な変化を阻害することによりがん細胞を殺傷する他の剤（例えば、カルムスチン（ＢＣＮＵ）およびロムスチン（ＣＣＮＵ））；代謝拮抗物質、および特定の細胞機能（通常、ＤＮＡ合成）を妨害することによりがん細胞増殖を遮断する他の剤（例えば、６−メルカプトプリンおよび５−フルオロウラシル（５−ＦＵ））；抗腫瘍抗体、およびＤＮＡを結合またはインターカレートしてＲＮＡ合成を防止することにより働く他の化合物（例えば、ドキソルビシン、ダウノルビシン、エピルビシン、イダルビシン、マイトマイシン−Ｃおよびブレオマイシン）、植物（ビンカ）アルカロイド、および植物由来の他の抗腫瘍剤（例えば、ビンクリスチンおよびビンブラスチン）；ステロイドホルモン；ホルモンインヒビター；ホルモンレセプターアンタゴニスト、およびホルモン応答性がんの増殖に影響を与える他の剤（例えば、タモキシフェン、ハーセプチン）、アロマターゼインヒビター（例えば、アミノグルテチミドおよびホルメスタン）、トリアゾールインヒビター（例えば、レトロゾールおよびアナストロゾール）、ステロイド性インヒビター（例えば、エキセメスタン）；抗血管新生タンパク質；低分子；遺伝子療法剤および／または腫瘍の血管新生もしくは脈管形成を阻害する他の剤（例えば、ｍｅｔｈ−１、ｍｅｔｈ−２、サリドマイド）；ベバシズマブ（Ａｖａｓｔｉｎ）、スクアラミン、エンドスタチン、アンギオスタチン、Ａｎｇｉｏｚｙｍｅ、ＡＥ−９４１（Ｎｅｏｖａｓｔａｔ）、ＣＣ−５０１３（Ｒｅｖｉｍｉｄ）、ｍｅｄｉ−５２２（Ｖｉｔａｘｉｎ）、２−メトキシエストラジオール（２ＭＥ２、Ｐａｎｚｅｍ）、カルボキシアミドトリアゾール（ＣＡＩ）、コンブレタスタチンＡ４プロドラッグ（ＣＡ４Ｐ）、ＳＵ６６６８、ＳＵ１１２４８、ＢＭＳ−２７５２９１、ＣＯＬ−３、ＥＭＤ  １２１９７４、ＩＭＣ−１Ｃ１１、ＩＭ８６２、ＴＮＰ−４７０、セレコキシブ（Ｃｅｌｅｂｒｅｘ）、ロフェコキシブ（Ｖｉｏｘｘ）、インターフェロンα、インターロイキン−１２（ＩＬ−１２）、生物学的応答改変剤（例えば、インターフェロン、カルメット−ゲラン杆菌（ＢＣＧ）、モノクローナル抗体、インターロイキン２、顆粒球コロニー刺激因子（例えば、ＧＣＳＦ））；ＰＧＤＦレセプターアンタゴニスト、ハーセプチン、アスパラギナーゼ、ブスルファン、カルボプラチン、シスプラチン、カルムスチン、クロラムブシル、シタラビン、ダカルバジン、エトポシド、フルカルバジン、フルロウラシル、ゲムシタビン、ヒドロキシウレア、イフォスファミド、イリノテカン、ロムスチン、メルファラン、メルカプトプリン、メトトレキサート、チオグアニン、チオテパ、トムデックス、トポテカン、トレオスルファン、ビンブラスチン、ビンクリスチン、ミトアジトロン、オキ��リプラチン、プロカルバジン、ストレプトシン、タキソールまたはパクリタキセル、タキソテール）、このような化合物のアナログ／同種、誘導体、ならびにこれらの組み合わせからなる群より選択される化学療法剤または抗腫瘍剤である、項目１９３に記載のデバイス。
（項目２０８）
フィードバックループをさらに備え、前記物質送達が、感知された前記応答パラメータのレベルに依存する、項目１９３に記載のデバイス。
（項目２０９）
前記活性剤が化学療法剤であり、そして前記デバイスが、前記センサにより感知された細胞アポトーシスの量に基づいて、化学療法剤送達を増加または減少させるように構成されている、項目２０８に記載のデバイス。
（項目２１０）
前記活性剤が抗炎症剤であり、そして前記デバイスが、前記センサにより感知された前記標的組織内のサイトカインの量に基づいて、抗炎症剤送達を増加または減少させるように構成されている、項目２０８に記載のデバイス。
（項目２１１）
応答パラメータを通信するための視覚指標をさらに備える、項目１に記載のデバイス。
（項目２１２）
前記標的組織に送達されるように構成された増感剤をさらに含む、項目１に記載のデバイス。
（項目２１３）
前記増感剤が、放射線に対する組織の感受性を増加させるように、造影剤の対照性または解像度を増加させるように；およびこれらの組み合わせで構成されている、項目２１２に記載のデバイス。
（項目２１４）
前記デバイスを前記患者に取り付けるための固定手段をさらに備える、項目１に記載のデバイス。
（項目２１５）
前記固定手段がアンカーおよび／または接着剤を含む、項目２１４に記載のデバイス。
（項目２１６）
前記デバイスの少なくとも一部分を覆うコーティングをさらに備える、項目１に記載のデバイス。
（項目２１７）
前記コーティングが、送達の補助；分解の防止；および汚染の防止のうちの１つ以上の機能を実施するように構成されている、項目２１６に記載のデバイス。
（項目２１８）
転写カセットをさらに備える、項目１に記載のデバイス。
（項目２１９）
前記転写カセットが、転写開始領域、標的遺伝子またはそのフラグメント、および転写終止領域を含む、項目２１８に記載のデバイス。
（項目２２０）
組織サンプルを収集するように、または組織サンプルをさらに特徴付けるアッセイを実施するように構成された、ドッキングステーションをさらに備える、項目１に記載のデバイス。
（項目２２１）
遠隔制御装置をさらに備える、項目１に記載のデバイス。
（項目２２２）
前記遠隔制御装置が前記物質送達の速度を制御するように構成されている、項目２２１に記載のデバイス。
（項目２２３）
前記デバイスが移植されるように構成されており、そして前記遠隔制御装置が、移植された該デバイスと通信するように構成されている、項目２２１に記載のデバイス。
（項目２２４）
マイクロプロセッサをさらに備える、項目１に記載のデバイス。
（項目２２５）
前記マイクロプロセッサが前記物質送達の速度を制御するように構成されている、項目２２４に記載のデバイス。
（項目２２６）
タイマー；デマルチプレクサー；記憶源；信号受信機；バイオセンサ；および電源のうちの１つ以上をさらに備える、項目２２４に記載のデバイス。
（項目２２７）
電源をさらに備える、項目１に記載のデバイス。
（項目２２８）
前記電源が充電可能であるように構成されている、項目２２７に記載のデバイス。
（項目２２９）
組織サンプリングアセンブリをさらに備える、項目１に記載のデバイス。
（項目２３０）
前記組織サンプルが生検である、項目２２９に記載のデバイス。
（項目２３１）
前記生検アセンブリが、前記デバイスが前記標的組織から取り外されるときにサンプルを収容するように構成されている、項目２２９に記載のデバイス。
（項目２３２）
前記生検アセンブリが、肝臓などの器官；腫瘍組織；血清；血液；白血球などの血球；血漿；痰；尿；腹水；胸膜液；脳脊髄液；リンパ液およびこれらの組み合わせからなる群より選択されるサンプルを採取するように構成されている、項目２２９に記載のデバイス。
（項目２３３）
サンプルを得るためのサンプリングポートをさらに備える、項目２２９に記載のデバイス。
（項目２３４）
前記生検アセンブリが、外部制御装置；圧力変化；温度変化；および期間が経過したときのうちの１つ以上によって活性化されるように構成されている、項目２２９に記載のデバイス。
（項目２３５）
前記生検アセンブリが、前記１つ以上のチャンバを備え、該１つ以上のチャンバが、該チャンバの遠位端に切断縁部を有する、項目２２９に記載のデバイス。
（項目２３６）
前記デバイスが移植されるように構成されており、そして移植されるときに前記サンプルを捕捉する、項目２２９に記載のデバイス。
（項目２３７）
前記サンプルが腫瘍細胞を含む、項目２３６に記載のデバイス。
（項目２３８）
容器を備える内方成長アセンブリをさらに備え、該容器が、細胞が該容器内に移動することを促進するように構成されている、項目１に記載のデバイス。
（項目２３９）
前記デバイスと前記容器とが、前記患者の身体の別々の位置に移植されるように構成されている、項目２３８に記載のデバイス。
（項目２４０）
前記容器が前記デバイスにデータを伝送するように構成されている、項目２３９に記載のデバイス。
（項目２４１）
前記データが無線で伝送される、項目２４０に記載のデバイス。
（項目２４２）
前記内方成長アセンブリが複数の容器を備える、項目２３８に記載のデバイス。
（項目２４３）
第一の容器が、第一の型の細胞を誘引するように構成されており、そして第二の容器が、異なる型の細胞を誘引するように構成されている、項目２４２に記載のデバイス。
（項目２４４）
前記内方成長アセンブリが、がん細胞を誘引するように構成されている、項目２３８に記載のデバイス。
（項目２４５）
前記内方成長アセンブリが、ハウスキーピング細胞を誘引するようにさらに構成されている、項目２４４に記載のデバイス。
（項目２４６）
アッセイ構成要素をさらに備え、該アッセイ構成要素は、誘引された前記ハウスキーピング細胞に対して、誘引された前記がん細胞を競合させるように構成されている、項目２４５に記載のデバイス。
（項目２４７）
経皮アクセス道具、および該経皮道具によりアクセスされるように構成された経皮アクセスポートをさらに備える、項目２３８に記載のデバイス。
（項目２４８）
前記経皮アクセスポートが、前記経皮アクセス道具によりアクセスされた後に再封止するように構成された封止部材を備える、項目２４７に記載のデバイス。
（項目２４９）
前記経皮アクセス道具が、前記移動した細胞のうちの少なくとも一部分を前記デバイスから取り出すように構成されている、項目２４７に記載のデバイス。
（項目２５０）
前記経皮アクセス道具が、前記移動した細胞のうちの少なくとも一部分に剤を添加するように構成されている、項目２４７に記載のデバイス。
（項目２５１）
前記容器が、前記デバイスに取り外し可能に結合するように構成されている、項目２３８に記載のデバイス。
（項目２５２）
ハウジングをさらに備え、前記容器が該ハウジング内にある、項目２３８に記載のデバイス。
（項目２５３）
前記容器内の前記細胞を分析するように構成されたアッセイをさらに含む、項目２３８に記載のデバイス。
（項目２５４）
前記物質が複数の剤を含み、そして送達される該剤が前記細胞の分析により決定される、項目２５３に記載のデバイス。
（項目２５５）
エネルギー送達要素をさらに備え、該エネルギー送達要素は、前記細胞の分析に基づいて前記組織にエネルギーを送達するように構成されている、項目２５３に記載のデバイス。
（項目２５６）
前記デバイスが、前記細胞の分析に基づいて前記物質送達を変化させるように構成されている、項目２５３に記載のデバイス。
（項目２５７）
前記物質送達の変化が、該物質送達の停止；物質送達の速度の変化；送達される物質の体積または重量の変化からなる群より選択される、項目２５６に記載のデバイス。
（項目２５８）
前記アッセイ分析ががん細胞挙動の診断である、項目２５３に記載のデバイス。
（項目２５９）
前記アッセイ分析が、がん細胞の侵襲性の測定である、項目２５８に記載のデバイス。
（項目２６０）
前記容器内またはその近くに位置する生物学的増殖因子をさらに含む、項目２３８に記載のデバイス。
（項目２６１）
前記生物学的増殖因子が、上皮増殖因子である、項目２６０に記載のデバイス。
（項目２６２）
前記物質送達を改変するように構成された電場発生アセンブリをさらに備える、項目１に記載のデバイス。
（項目２６３）
前記電場発生アセンブリが、イオン導入効果；電気穿孔効果；およびこれらの組み合わせからなる群より選択される効果を提供するように構成されている、項目２６２に記載のデバイス。
（項目２６４）
前記電場が前記物質送達を改変するように構成されている、項目２６３に記載のデバイス。
（項目２６５）
前記電場発生アセンブリが、前記レザバまたはチャンバと一体的な１つ以上の電極を備える、項目２６２に記載のデバイス。
（項目２６６）
前記電場発生アセンブリが、第一の電極および第二の電極を備え、そして電流が、該第一の電極から該第二の電極へと流れる、項目２６５に記載のデバイス。
（項目２６７）
前記第一の電極および前記第二の電極のうちの少なくとも一方が、前記電流が流れるときに組織内にあるように構成されている、項目２６６に記載のデバイス。
（項目２６８）
前記レザバ内の流体の体積を検出するように構成された体積センサをさらに備える、項目１に記載のデバイス。
（項目２６９）
前記体積センサが、囲まれた空間の体積に関連する共鳴周波数を検出することによって、該囲まれた空間の体積を検出するように構成されている、項目２６８に記載のデバイス。
（項目２７０）
前記体積センサの少なくとも一部分が、チャンバおよび前記レザバのうちの１つ以上の中に位置する、項目２６８に記載のデバイス。
（項目２７１）
前記体積センサの少なくとも一部分が、スピーカーまたはマイクロフォンである、項目２７０に記載のデバイス。
（項目２７２）
データを伝送または受信するように構成された通信要素をさらに備える、項目１に記載のデバイス。
（項目２７３）
前記通信要素が無線トランシーバである、項目２７２に記載のデバイス。
（項目２７４）
ａ）微小投与量の物質を標的組織に送達するように構成された物質送達デバイス；および
ｂ）生検デバイス、マイクロチップデバイス、アッセイデバイス、または画像化デバイスを、該標的組織に送達するための展開道具、
を備える、物質を組織に送達するためのシステム。
（項目２７５）
前記物質送達デバイスが、生検デバイス、マイクロチップデバイス、アッセイデバイス、および画像化デバイスのうちの１つ以上としてさらに構成されている、項目２７４に記載のシステム。
（項目２７６）
前記生検デバイス、前記アッセイデバイス、または前記画像化デバイスを前記標的組織から取り外すための回収道具をさらに備える、項目２７４に記載のシステム。
（項目２７７）
前記物質の放出を活性化するためのエネルギー源をさらに備える、項目２７４に記載のシステム。
（項目２７８）
前記生検デバイス、前記アッセイデバイス、または前記画像化デバイスの、前記標的組織内での可視化のための画像化構成要素をさらに備える、項目２７４に記載のシステム。
（項目２７９）
前記デバイスのうちの２つ以上と通信するように構成されたベースステーションをさらに備える、項目２７４に記載のシステム。
（項目２８０）
物質または活性剤を、組織またはサンプル組織に送達するように構成された１つ以上のポートをさらに備える、項目２７４に記載のシステム。
（項目２８１）
前記１つ以上のポートが前記デバイスに取り外し可能に固定されている、項目２８０に記載のシステム。
（項目２８２）
第二の物質送達デバイスをさらに備える、項目２７４に記載のシステム。
（項目２８３）
第一の物質送達デバイスが無線トランシーバを備え、そして前記第二の物質送達が、該第一の物質送達デバイスの無線トランシーバにデータを送信またはデータを受信するように構成された無線トランシーバを備える、項目２８２に記載のシステム。
（項目２８４）
前記標的組織が腫瘍組織であり、そして前記第二の物質送達デバイスが、前記第一の物質送達デバイスと同じ腫瘍に物質を送達する、項目２８２に記載のシステム。
（項目２８５）
前記標的組織が腫瘍組織であり、そして前記第二の物質送達デバイスが、前記第一の物質送達デバイスとは異なる腫瘍に物質を送達する、項目２８２に記載のシステム。
（項目２８６）
前記第一の物質送達デバイスが第一の内方成長アセンブリを備え、そして前記第二の物質送達デバイスが第二の内方成長アセンブリを備える、項目２８２に記載のシステム。
（項目２８７）
前記第一の内方成長アセンブリが第一の細胞型を誘引し、そして前記第二の内方成長アセンブリが、該第一の細胞型とは異なる第二の細胞型を誘引する、項目２８６に記載のシステム。
（項目２８８）
前記第一の細胞型がコントロールである、項目２８７に記載のシステム。
（項目２８９）
組織に物質を送達するための方法であって、微小投与量の物質を標的組織に局所送達する工程を包含する、方法。
（項目２９０）
前記方法が薬物動態学的データまたは代謝データを得る、項目２８９に記載の方法。
（項目２９１）
デバイスを移植する工程をさらに包含する、項目２８９に記載の方法。
（項目２９２）
前記移植が、皮下手順；観血外科手術手順；最小侵襲性外科手術手順；ロボット手順；摂取；およびこれらの組み合わせからなる群より選択される手順である、項目２９１に記載の方法。
（項目２９３）
前記デバイスを患者の皮膚に取り付ける工程をさらに包含する、項目２８９に記載の方法。
（項目２９４）
前記標的組織が、腫瘍組織；健常組織；および腫瘍組織と健常組織との両方を含む、項目２８９に記載の方法。
（項目２９５）
前記物質が、前記標的組織に対する候補化合物の効果を評価するために送達される候補化合物である、項目２８９に記載の方法。
（項目２９６）
前記物質が、候補化合物の薬物動態学、代謝、特異的毒性、または薬理学的用量を評価するために送達される候補化合物である、項目２８９に記載の方法。
（項目２９７）
前記物質が、医学的状態を局所的に処置するため、または医学的状態の処置のための物質を評価するために送達される、項目２８９に記載の方法。
（項目２９８）
前記医学的状態ががんである、項目２９７に記載の方法。
（項目２９９）
前記物質が、制御放出様式、徐放様式、または遅延放出様式で送達される、項目２８９に記載の方法。
（項目３００）
前記物質が、構造的画像化様式または機能的画像化様式と組み合わせて送達される、項目２８９に記載の方法。
（項目３０１）
応答パラメータを感知する工程をさらに包含する、項目２８９に記載の方法。
（項目３０２）
感知された前記応答パラメータに応答して活性剤を送達する工程をさらに包含する、項目３０１に記載の方法。
（項目３０３）
化学療法剤が放出され、そして低下または上昇したレベルの該化学療法剤が、感知された腫瘍細胞アポトーシスの量に基づいて前記デバイスから放出され得る、項目３０２に記載の方法。
（項目３０４）
抗炎症剤が放出され、そして低下または上昇したレベルの該抗炎症剤が、前記標的組織において感知されたサイトカインのレベルに基づいて前記デバイスから放出され得る、項目３０２に記載の方法。
（項目３０５）
前記標的組織に対してアッセイを実施する工程をさらに包含する、項目２８９に記載の方法。
（項目３０６）
前記アッセイがインビボアッセイまたはインビトロアッセイを含む、項目３０５に記載の方法。
（項目３０７）
前記標的組織のサンプルを得る工程をさらに包含する、項目２８９に記載の方法。
（項目３０８）
前記物質が、複数のレザバを備えるデバイスから送達される、項目２８９に記載の方法。
（項目３０９）
各レザバが、複数の出口ポートを備える貫入部材を備え、そして前記物質が、該複数の出口ポートを通して送達される、項目３０８に記載の方法。
（項目３１０）
前記物質がデバイスから送達され、前記方法が、腫瘍を画像化する工程および該デバイスを移植する工程をさらに包含し、該腫瘍の画像化が、該デバイスの移植前、移植中または移植後に実施される、項目２８９に記載の方法。
（項目３１１）
前記移植する工程が、画像誘導挿入を包含する、項目３１０に記載の方法。
（項目３１２）
前記物質が、前進可能なレザバを備えるデバイスから送達され、前記方法が、該レザバを組織内に前進させる工程をさらに包含する、項目２８９に記載の方法。
（項目３１３）
前記物質が複数の剤を含む、項目２８９に記載の方法。
（項目３１４）
前記複数の剤がネガティブコントロールおよびポジティブコントロールを含む、項目３１３に記載の方法。
（項目３１５）
効力；活性；および毒性のうちの１つ以上の評価を実施する工程をさらに包含する、項目２８９に記載の方法。
（項目３１６）
第二の微小投与量の第二の物質を前記組織に送達する工程；該組織を切除する工程；および第一の微小用量の効果と第二の微小用量の効果とを比較する工程をさらに包含する、項目２８９に記載の方法。
（項目３１７）
前記組織の切除が、前記第一の微小用量および第二の微小用量の送達後の時点で実施され、該持続時間が、剤送達の開始後２日〜７日；剤送達の開始後１週間〜１年からなる群より選択される、項目３１６に記載の方法。
（項目３１８）
前記標的組織が腫瘍の長軸に沿っている、項目２８９に記載の方法。
（項目３１９）
前記組織を通る前記物質の透過の程度を検出する工程、該組織に対する該物質の物理化学的効果を検出する工程、および該組織に対する該物質の薬理学的効果を検出する工程をさらに包含する、項目２８９に記載の方法。
（項目３２０）
前記組織が、腺腫；腺癌；扁平上皮癌；基底細胞癌；小細胞癌；大細胞未分化癌；軟骨肉腫；線維肉腫；およびこれらの組み合わせからなる群より選択される腫瘍組織である、項目２８９に記載の方法。
（項目３２１）
腫瘍応答をリアルタイムで検出するように構成されたアッセイを実施する工程をさらに包含する、項目３２０に記載の方法。
（項目３２２）
前記物質が、前記患者に移植されるように構成されたデバイスによって送達され、該デバイスは、組織サンプリングアセンブリを備え、該組織サンプリングアセンブリは、該デバイスが移植されている間に腫瘍細胞を捕捉するように構成されている、項目３２０に記載の方法。
（項目３２３）
前記標的組織が、肝臓、肺、腎臓、前立腺、卵巣、脾臓、リンパ節、甲状腺、膵臓、心臓、骨格筋、腸、喉頭、食道および胃からなる群より選択される、項目２８９に記載の方法。
（項目３２４）
前記物質が、少なくとも３つの貫入部材を備えるデバイスによって送達され、該貫入部材が、前記標的組織に貫入するように構成されている、項目２８９に記載の方法。
（項目３２５）
前記少なくとも３つの貫入部材が、実質的に一定である幅、厚さまたは直径を有する標的組織の体積または領域中に存在する、項目３２４に記載の方法。
（項目３２６）
前記体積または領域が、前記物質の送達後に切除される、項目３２５に記載の方法。
（項目３２７）
前記物質が複数の剤を含み、前記方法が、該複数の剤の効果の分析を実施する工程をさらに包含する、項目３２６に記載の方法。
（項目３２８）
前記物質が少なくとも１つの貫入部材を備えるデバイスによって送達され；前記方法が、腫瘍を画像化する工程、および該腫瘍の画像化に基いて該少なくとも１つの貫入部材を展開する工程をさらに包含する、項目２８９に記載の方法。
（項目３２９）
前記少なくとも１つの貫入部材が、前記画像化された腫瘍の境界に基づいて、前記少なくとも１つの貫入部材を展開する、項目３２８に記載の方法。
（項目３３０）
前記方法が治療事象である、項目２８９に記載の方法。
（項目３３１）
前記方法が診断事象である、項目２８９に記載の方法。
（項目３３２）
前記方法が治療事象と診断事象との両方である、項目２８９に記載の方法。
（項目３３３）
前記物質が、移植されるように構成されたデバイスによって送達され、該デバイスは、少なくとも１つの貫入部材を備え、該少なくとも１つの貫入部材が、該デバイスが移植されている間に前進または後退させられるように構成されている、項目２８９に記載の方法。
（項目３３４）
前記物質が、移植されるように構成されたデバイスによって送達され、該デバイスは、少なくとも１つの貫入部材を備え、該少なくとも１つの貫入部材は、該デバイスが移植される前に前進または後退させられるように構成されている、項目２８９に記載の方法。
（項目３３５）
前記物質が、移植されるように構成されたデバイスによって送達され、該デバイスは、少なくとも１つの貫入部材を備え、該少なくとも１つの貫入部材は、該デバイスが外植される前に引き抜かれるように構成されている、項目２８９に記載の方法。
（項目３３６）
組織に物質を送達するためのキットであって、該キットは、１つ以上の生検デバイス、１つ以上のマイクロチップデバイス、１つ以上のアッセイデバイス、１つ以上の画像化デバイス、またはこれらの組み合わせを備え、該デバイスは、標的組織への送達のための微小用量の物質を収容するレザバを有する、キット。
（項目３３７）
前記１つ以上の生検デバイス、１つ以上のアッセイデバイス、または１つ以上の画像化デバイスが、複数のレザバを有し、各レザバが異なる物質を収容する、項目３３６に記載のキット。
（項目３３８）
前記１つ以上の生検デバイス、１つ以上のアッセイデバイス、または１つ以上の画像化デバイスが、複数のレザバを有し、各レザバが微小用量の異なる物質を収容する、項目３３６に記載のキット。
（項目３３９）
展開道具、回収道具、エネルギー構成要素、またはこれらの組み合わせをさらに備える、項目３３６に記載のキット。
（項目３４０）
前記展開道具がプッシャーアセンブリを有するカテーテルを備える、項目３３９に記載のキット。
（項目３４１）
前記展開道具が顎を備える、項目３３９に記載のキット。
（項目３４２）
前記回収道具が、吸引手段；顎；フック；および磁石のうちの１つ以上を備える、項目３３９に記載のキット。
（要旨）
物質を組織に送達するためのデバイス、システム、方法およびキットが、本明細書に記載される。これらのデバイスは一般に、１つ以上のチャンバ、および各チャンバ内のレザバを備える。このレザバは、微小投与量の物質を標的組織に局所的に送達し得る。用語「組織」とは、本明細書中で使用される場合、一般に、特定の機能を果たす細胞の群（例えば、体液（例えば、血液、リンパ、および唾液）、ならびに組織の集合物である器官が挙げられる）をいう。「局所（的）」とは、標的組織位置にあるか、またはその標的組織位置に隣接もしくは近接している源からの、標的組織位置への投与または送達を意味する。本明細書中で使用される場合、「微小用量」とは、物質の１つ以上のパラメータ（効力または代謝など）を決定するために組織に局所的に送達される物質の量をいう。いくつかのバリエーションにおいて、微小投与量は、早期ヒト研究（例えば、第Ｉ相臨床治験前）において、標的組織に対する物質の効果を評価するため、または薬物動態学的データもしくは代謝データを得るために、使用される。他のバリエーションにおいて、微小投与量は、医学的状態（例えば、がんまたは腫瘍）を局所的に処置するために使用される。なお他のバリエーションにおいて、微小投与量は、構造的画像化手順または機能的画像化手順のための造影剤を局所送達するために使用される。このことを考慮すると、微小投与量は、物質送達の特定の適応症に対して誂えられ得る。このデバイスが複数のチャンバを備える場合、各レザバは、同じ物質を送達しても異なる物質を送達してもよい。物質の組み合わせを有する１つのレザバもまた、想定される。